(57)【要約】【課題】帽体を用いた装身用パーツを構成する場合において、帽体を安価かつ合理的に製造するとともに、装身用パーツの見栄えをより一層良好にする。【解決手段】中心軸となる対象位置にそれぞれ通し孔を穿設した中空球状体を、上記通し孔の中心軸線に対して１０〜６０度傾斜した位置で２分割切断して端縁部寄りに１個の通し孔を有した２個の半球状の帽体を得るようにした。  これにより材料の無駄がなく、製造法が合理的で、しかもこれを用いた装身用パーツを構成する場合に、帽体からの天然石などの露出面積が十分であり、また帽体正面側における天然石などの露出面積が大きいほど、帽体の背面積が増大し、しかも装身用パーツ全体としてかえって審美性に富む装身用パーツを得ることができる。【選択図】図１
2004237644.tif 000002
【特許請求の範囲】
【請求項１】
中心軸となる対称位置にそれぞれ通し孔を穿設した中空球状体を、上記対称位置にある通し孔を結ぶ中心軸線に対して１０〜６０度傾斜した位置で２分割切断することにより、端縁部寄りに１個の通し孔を有した２個の半球状の帽体を得るようにしたことを特徴とする装身用パーツの製造方法。
【請求項２】
中心軸となる対称位置にそれぞれ通し孔を穿設した中空球状体を、上記対称位置にある通し孔間の中間部において、両通し孔を結ぶ中心軸線に対して１０〜６０度傾斜した位置で２分割切断することにより、端縁部寄りに１個の通し孔を有した２個の半球状の帽体を得るようにしたことを特徴とする装身用パーツの製造方法。
【請求項３】
端縁部寄りに１個の通し孔を有した半球状の帽体は、少なくとも複数個用意し、各帽体の通し孔に順次線条体を引き通すことにより連鎖状に構成して使用されるものであるところの請求項１又は請求項２に記載の装身用パーツの製造方法。
【請求項４】
端縁部寄りに１個の通し孔を有した半球状の帽体は、少なくとも複数個用意し、各帽体の通し孔に順次線条体を引き通すとともに、さらに上記した各帽体の、それぞれの半球面内に宝飾材の少なくとも一部を位置させるべく宝飾材に引き通すことにより連鎖状に構成して使用されるものであるところの請求項１又は請求項２に記載の装身用パーツの製造方法。
【請求項５】
中空球状体が、外周面に多面カットあるいは彫刻若しくは彩色模様を施したものであるところの請求項１又は請求項２に記載の装身用パーツの製造方法。
【発明の詳細な説明】
【０００１】
【発明の属する技術分野】
本発明は、ネックレスやブレスレット等のように心金若しくは糸等の線条物に多数個連鎖状に引き通して装飾体を構成し、あるいは、例えば装飾用釦のように単独で服飾品の一部に取り付けて用いるための特殊形状をした装身用パーツの製造方法に関し、審美性の向上した特殊形状のパーツを低コストにて製造することを目的とする。
【０００２】
【従来の技術】
金・銀・銅・プラチナ等の材料を用いたネックレスやブレスレット等の装飾用小物部品、あるいは単独で使用される装飾用小物部品などの装身用パーツは多種にわたり市販されているために、ユーザーの購買意欲を向上させるためには、新しい装飾を施すことが望まれる。
【０００３】
例えば装飾部品として帽体を被せた果実状の形態のものを用いる場合においては、図４にもあらわしたように、プラチナや真鍮製の内部を空洞にした半球形の椀状をした帽体１を作成するとともに、その天面中央部の通し孔２をワイヤー等の線条物３に引き通し、さらにその帽体１の湾曲した内部に天然石等４の一部が位置するように上記線条物３に他のスペーサ装飾品５を介在させつつ順次引き通すことにより果実状の装飾部品Ａを構成する。
【０００４】
上記の帽体１を用いた装飾部品Ａは、恰も複数以上の例えば団栗（椎の実）などの果実状装飾部品Ａが、複数個連鎖状に順次線条物３に吊り下がっているように構成して用いられるが、帽体１を作成する場合には、材料とコストの削減のために、中心軸となる対象位置にそれぞれ通し孔を穿設した内部中空の球状体を、中心軸線と直交する中央部で２分割切断して切断した両方の椀状体（帽体１）を装身用パーツとして用いることになる。
【０００５】
このような場合においては、天然石４の上半分が団栗状の蔕に相当する帽体１、すなわち半球形の椀状体に覆われてしまう結果、装身用パーツとしての正面側から見た場合に、天然石等４の露出表面積ｂが減少して見栄えが悪くなりがちである。  そこで、このような椀状の帽体１を用いて果実状装飾部品Ａを作成する場合においては、通常は椀状帽体１の開口縁部を全周にわたり均等に研磨し、あるいは球状体の中央から片側の通し孔寄りの位置を切断することにより凹入深さａを浅くして天然石の露出表面ｂを拡大することがおこなわれる。
【０００６】
【発明が解決しようとする課題】
しかしながら、椀状帽体の開口縁部を研磨する場合には、材料の無駄を生ずるばかりでなく工数が増大してコスト高となり、また球状体の中央から片側の通し孔寄りの位置を切断して片方のみを帽体として使用する場合においても、他方の部品が無駄になるために合理的ではない。
【０００７】
【課題を解決するための手段】
そこで本発明にあっては、上記した帽体を用いて果実状の装身用パーツを製造する場合において、材料の無駄がなく、しかも帽体からの天然石などの露出面積が十分で、かつ帽体正面側における天然石などの露出面積が大きいほど、帽体の背面積が増大し、しかも装身用パーツ全体としてかえって審美性に富むことを見出すとともに、その合理的な製造方法を開発したものであり、具体的には請求項１の発明は、中心軸となる対称位置にそれぞれ通し孔を穿設した中空球状体を、上記対称位置にある通し孔を結ぶ中心軸線に対して１０〜６０度傾斜した位置で２分割切断することにより、端縁部寄りに１個の通し孔を有した２個の半球状の帽体を得るようにしたことを特徴とする装身用パーツの製造方法に関する。
【０００８】
また請求項２の発明は、中心軸となる対称位置にそれぞれ通し孔を穿設した中空球状体を、上記対称位置にある通し孔間の中間部において、両通し孔を結ぶ中心軸線に対して１０〜６０度傾斜した位置で２分割切断することにより、端縁部寄りに１個の通し孔を有した２個の半球状の帽体を得るようにしたことを特徴とする装身用パーツの製造方法に関する。
【０００９】
さらに請求項３の発明は、端縁部寄りに１個の通し孔を有した半球状の帽体は、少なくとも複数個用意し、各帽体の通し孔に順次線条体を引き通すことにより連鎖状に構成して使用されるものであるところの請求項１又は請求項２に記載の装身用パーツの製造方法に関する。
【００１０】
さらに請求項４の発明は、端縁部寄りに１個の通し孔を有した半球状の帽体は、少なくとも複数個用意し、各帽体の通し孔に順次線条体を引き通すとともに、さらに上記した各帽体の、それぞれの半球面内に貴金属あるいは宝石類の少なくとも一部を位置させるべく貴金属あるいは宝石類を線条物に引き通すことにより連鎖状に構成して使用されるものであるところの請求項１又は請求項２に記載の装身用パーツの製造方法に関する。
【００１１】
さらに請求項５の発明は、中空球状体が、外周面に多面カットあるいは彫刻若しくは彩色模様を施したものであるところの請求項１又は請求項２に記載の装身用パーツの製造方法に関する。
【００１２】
上記した構成において、中心軸となる対象位置にそれぞれ通し孔を穿設したプラチナや真鍮製の内部を中空とした球状体を、適当な切断装置を用いて上記通し孔の中心軸線に対して１０〜６０度傾斜した位置で２分割切断し、端縁部寄りに１個の通し孔を有した２個の半球状の帽体を得る。
【００１３】
また該帽体を少なくとも複数個用意し、各帽体の端縁寄りの通し孔に線条体を引き通して装飾体を構成し、あるいは上記により得られた各帽体の通し孔に線条物を引き通すとともにさらに上記した各帽体の、それぞれの半球面内に貴金属あるいは宝石類の少なくとも一部を位置させるべく貴金属あるいは宝石類を線条物に引き通して果実状の装飾品を構成する。
【００１４】
【発明の実施の形態】
以下において、本発明の具体的な内容を図１〜３にあらわした実施例をもとに説明すると、各図において１１は装身用のパーツである帽体、１４は一部を帽体１１の内側に位置させるべく帽体１１の内面に添わせる宝飾材、１６は間隔調整兼用装飾体１５を介して帽体１１および宝飾材１４を引き通すための線条体をあらわす。  なお本実施例では宝飾材１４として球状の天然石を使用している。
【００１５】
帽体１１は、プラチナや金あるいは真鍮など貴金属製の内部を中空とした半球形に形成され、しかもその開口縁１３寄りの位置には通し孔１２が形成されている。  また帽体１１の半円状に突出した背面には必要に応じて切り込み模様１１ａや、あるいは着色模様等が施される。
【００１６】
上記の帽体１１は、通し孔１２の形成位置が開口縁１３寄りにある点において、在来の帽体とは異なっている。  通し孔１２の形成位置が開口縁１３寄りにあることで、通し孔１２を線条体１６に引き通した場合に、開口縁１３の開口軸線Ｚが在来のもののように真下（線条体１６に沿う下方）ではなく、線条体１６に対して交差する側方（完成装飾体としての正面寄り方向）に向くために、沿わせた宝飾材１４の露出表面積ｄが著しく増大して見栄えが良くなる。
【００１７】
帽体１１に通し孔１２を形成する場合に、通し孔１２を帽体１１の開口縁１３寄りに形成するだけであれば、半円状に形成した帽体１１の開口縁１３寄りの位置にドリルなどを用いることによって形成することも理論上は可能である。  しかし現実には帽体１１の直径が通常は３ｍｍ〜１０ｍｍ程度であり、しかもその形成位置が開口縁１３寄りであるために、通し孔１２の穿設作業が容易ではない。  またそればかりでなく工数が増大してかえってコスト高となるのを免れない。
【００１８】
したがって、在来品の帽体を製造する場合のように、中空のパイプ状をした長い加工素材を一定間隔毎に切断しつつ、湾曲金型を用いてその両端切断面を絞り加工して球状に形成する場合においては、絞り加工により両端の切断面が縮小して線条体１６の通し孔１２として丁度都合のよい孔が形成されるのを利用する方が作業上において遥かに効率的であるといえる。
【００１９】
本発明はここに技術的進歩性を有するものであって、以下において半球状をした椀状の開口縁寄りに通し孔１２を形成した帽体１１を得る方法のさらに具体的な方法について説明する。  上記したように、パイプを切断した両端の切断開口部を球状に絞り加工し、径小に縮小して得られた両側の通し孔を、中心軸ＸーＸとなる対象位置にそれぞれ通し孔１２・１２を穿設した中空球状体１０とし、図２にあらわしたように、上記対称位置にある通し孔１２・１２間の中間部において、通し孔１２・１２の中心軸線ＸーＸに対して一定の角度傾斜した角度ＹーＹの位置で２分割切断することにより、端縁部寄りに１個の通し孔を有した２個の半球状の帽体を得ることができる。
【００２０】
通し孔１２・１２の中心軸線ＸーＸに対する具体的な傾斜角度については、図２の実施例では１２度としたが、この場合に１０度を下回ると開口縁１３が通し孔１２に接近しすぎて２分割切断時に通し孔１２に近い開口縁部を変形させやすくなるばかりでなく、完成した装身用装飾品としての見栄えもかえって悪くなる。  また反対に６０度を超えるとこれに沿わせる宝石などの露出面積が減少して同様に見栄えが悪くなることから、１０度〜６０度の範囲内である必要がある。
【００２１】
つぎに上記により得られた装身用パーツである帽体１１を用いて装身用装飾品を構成する場合について説明すると、帽体１１を少なくとも複数個用意し、各帽体１１の通し孔１２に線条体１６を引き通しただけでも装身用装飾品を構成することができる。
【００２２】
さらに豪華さを演出するためには図３にもあらわしたように、帽体１１を少なくとも複数個用意し、各帽体１１の通し孔１２に線条物１６を引き通すとともに、必要に応じて間隔調整兼用装飾１５や、他の装飾部品１７および１８を介在させつつ、上記した各帽体１１の、それぞれの半球面内に貴金属あるいは宝石類などを用いた宝飾材１４の少なくとも一部を位置させるべく宝飾材１４を線条物１６に引き通して装身用装飾品を完成する。
【００２３】
なお、図において１１ａは、帽体１１の背面に施された彫刻による装飾をあらわしている。  この場合の装飾は、単純な彫刻のほかに多面カットや彩色模様などを施してもよい。  なお上記において線条物１６としては、細い金属製のワイヤーやチェーン、糸などの紐状のものであればすべて適用が可能である。  また帽体１１の内面に沿わせて線条体１６に取り付ける宝飾材１４についても、宝石類や金、銀、銅、プラチナなど貴金属類のすべてのものが適用可能である。
【００２４】
上記した構成において、中心軸となる対象位置にそれぞれ通し孔を穿設したプラチナや真鍮製の内部を中空とした球状体１０を、例えばダイヤバイト切断装置などを用いて上記通し孔の中心軸線ＸーＸに対して１０〜６０度傾斜した位置ＹーＹ線（開口縁１３）で２等分に分割切断し、端縁部寄りに１個の通し孔１２を有した２個の半球状の帽体１１・１１を得る。
【００２５】
また該帽体１１を少なくとも複数個用意し、各帽体１１の端縁寄りの通し孔１２に線条体１６を引き通して装飾体を構成し、あるいは上記により得られた各帽体１１の通し孔１２に線条物１６を引き通すとともにさらに上記した各帽体１１の、それぞれの半球面内に貴金属あるいは宝石などの宝飾材１４の少なくとも一部を位置させるべく宝飾材１４を線条物１６に引き通して果実状の装飾品を構成する。
【００２６】
【発明の効果】
本発明は上記した通り、中心軸となる対象位置にそれぞれ通し孔を穿設した中空球状体を、上記通し孔の中心軸線に対して１０〜６０度傾斜した位置で２分割切断して端縁部寄りに１個の通し孔を有した２個の半球状の帽体を得るようにしたために、材料の無駄がなく、製造法が合理的で、しかもこれを用いた装身用パーツを構成する場合に、帽体からの天然石などの露出面積が十分であり、また帽体正面側における天然石などの露出面積が大きいほど、帽体の背面積が増大し、しかも装身用パーツ全体としてかえって審美性に富む装身用パーツを得ることができる。
【図面の簡単な説明】
【図１】本発明の一実施例である帽体を用いた装身用パーツの側面図。
【図２】本発明方法の実施に使用する中空球状体の側面図。
【図３】本発明の帽体を用いた装飾体の一例をあらわす正面図（Ａ）および背面図（Ｂ）。
【図４】在来の帽体を用いた装身用パーツの縦断面図。
【符号の説明】
１０        中空球状体
１１        帽体
１１ａ      装飾
１２        通し孔
１３        開口縁
１４        宝飾材
１５        間隔調整兼用装飾体
１６        線条体
１７        装飾部品
１８        装飾部品
【図１】
2004237644.tif 000003
【図２】
2004237644.tif 000004
【図３】
2004237644.tif 000005
【図４】
2004237644.tif 000006